(57)【特許請求の範囲】
【請求項１】
コンタクトガラスを有し、このコンタクトガラスを通過する原稿の画像を読み取る画像読取部と、前記コンタクトガラス上を通過させるように原稿をガイドする上下のガイド板と、前記コンタクトガラス上に配置され、白レベル基準となる白圧板とを有する原稿読取装置において、
前記ガイド板を通過した原稿の先端を前記白圧板と前記コンタクトガラスとの間にガイドするために、前記白圧板における原稿搬送方向上流側の端部に曲げ部を形成し、さらに、前記上ガイド板における前記白圧板に対して原稿搬送方向上流側の部位に一端部が貼り付けられ、かつ他端が前記上ガイド板から前記白圧板の前記曲げ部の端部下方に延在し、前記上ガイド板から前記白圧板に原稿をガイドする可撓性部材からなる白圧板継ぎガイド板を設けたことを特徴とする原稿読取装置。
【発明の詳細な説明】
【０００１】
【発明の属する技術分野】
本発明は、ファクシミリ装置、複写機の自動原稿給送装置、スキャナ装置等に適用される原稿読取装置に関する。
【０００２】
【従来の技術】
図５は従来の自走原稿読取装置の要部構成を示す説明図であり、１は原稿を画像読取位置に搬送するフィードローラ、２はフィードローラ１に当接して用紙を１枚ずつ分離させるフリクションリバースローラ、３は装置本体にセットされた原稿をフィードローラ１に搬送するピックアップローラ、４はフィードローラ１を通過した原稿を搬送する読取ローラ、５は読取ローラ４に当接する読取加圧ローラ、６は画像読取手段における画像読取位置に備えられたコンタクトガラス、７は、コンタクトガラス６に対向配置され、画像読取手段における白基準となる白圧板、８は白圧板７を上下動可能に支持する角パイプ、９はコンタクトガラス６を通過した原稿を外部に排紙する排紙ローラ、１０は排紙ローラ９に当接する排紙加圧ローラ、１１は、原稿の上側をガイドし、フリクションリバースローラ２、読取ローラ４、白圧板７を支持する角パイプ８および排紙ローラ９を備えた原稿上側ガイド板、１２は、原稿の下側をガイドし、フィードローラ１、読取加圧ローラ５、コンタクトガラス６を有する画像読取手段および排紙加圧ローラ１０を備えた原稿下側ガイド板を示す。
【０００３】
原稿上側ガイド板１１におけるコンタクトガラス６に対向する部位には、凹部１１ａが形成されており、この凹部１１ａに白圧板７および角パイプ８が設置されている。コンタクトガラス６と白圧板７との間にはスペーサ（図示せず）が設けられており、このスペーサによってコンタクトガラス６と白圧板７との隙間が一定に保たれる。また、白圧板７における原稿搬送方向上流側の端部には上側に曲げ加工を施すことによる曲げ部７ａが形成されており、この曲げ部７ａの先端は、原稿上側ガイド板１１における凹部１１ａの壁面部分に対向している。
【０００４】
装置本体にセットされた原稿は、ピックアップローラ３によって最下位の原稿からフィードローラ１に搬送される。この時、複数枚同時に搬送された場合にはフリクションリバースローラ２によって分離されて最下位の原稿のみが搬送される。フィードローラ１および読取ローラ４を通過した原稿はコンタクトガラス６に搬入される。その際、原稿上側ガイド板１１のガイド機能が凹部１１ａの部位において失われることになるが、凹部１１ａの部位における原稿のガイドは上下側ガイド板１１，１２から白圧板７の曲げ部７ａに受け継がれ、原稿の先端が曲げ部７ａに当接し、曲げ部７ａの傾斜に沿ってコンタクトガラス６と白圧板７との隙間にガイドされる。
【０００５】
そして、原稿がコンタクトガラス６と白圧板７との隙間を通過する際に、画像読取手段によって原稿の画像が光学的に読み取られ、コンタクトガラス６を通過した原稿は排紙ローラ９によって外部に排出される。
【０００６】
【発明が解決しようとする課題】
従来技術においては白圧板７が原稿上側ガイド板１１との継ぎを滑らかにするため、曲げ部７ａを鈍角にすることは公知である。またマイラ（デュポン社の商品名）素材の白圧板７に代わる材質がないことが現状である。そのため、原稿上側ガイド板１１との継ぎの滑らかさは白圧板７における曲げ部７ａを形成する精度に頼っている。
【０００７】
ところが、加工上マイラの曲げは精度が悪く、輸送や保管上も変形の注意を要する。また、曲げ角度が９０°に近いと図６に示すように白圧板の曲げ部７ａに原稿が引っ掛かりやすくなり、曲げ角度が１８０°に近いと図７に示すように白圧板７の端部に原稿が引っ掛かるような現象が生じるおそれがあり、どちらの場合においても搬送不良（主にジャム）を起こし易くなる。その対策として曲げ部７ａの曲げ角度を管理することが行われてきたが白圧板７の曲げ部７ａ角度を管理することは、輸送上、保管上、ひいては経時的にも困難で、手間とコストがかかっていた。
【０００８】
本発明では、このような問題点を解決し、白圧板の曲げ角の精度を安定させてガイド板から白圧板へのガイドの受け継ぎを円滑に行うことができる構成を容易かつ安価に実現することによって搬送不良を低減させた原稿読取装置を提供することを目的とする。
【０００９】
【課題を解決するための手段】
前記目的を達成するための本発明は、コンタクトガラスを有し、このコンタクトガラスを通過する原稿の画像を読み取る画像読取部と、前記コンタクトガラス上を通過させるように原稿をガイドする上下のガイド板と、前記コンタクトガラス上に配置され、白レベル基準となる白圧板とを有する原稿読取装置において、前記ガイド板を通過した原稿の先端を前記白圧板と前記コンタクトガラスとの間にガイドするために、前記白圧板における原稿搬送方向上流側の端部に曲げ部を形成し、さらに、前記上ガイド板における前記白圧板に対して原稿搬送方向上流側の部位に一端部が貼り付けられ、かつ他端が前記上ガイド板から前記白圧板の前記曲げ部の端部下方に延在し、前記上ガイド板から前記白圧板に原稿をガイドする可撓性部材からなる白圧板継ぎガイド板を設けたことを特徴とする。このように構成したことにより、原稿の先端が曲げ部の傾斜面に当接するように白圧板継ぎガイド板が原稿をガイドし、曲げ部の傾斜面に当接した原稿は曲げ部によって白圧板とコンタクトガラスの間にガイドされる。そのため、白圧板の曲げ角度が多少変化しても、可撓性を有する白圧板継ぎガイド板が白圧板の曲げ部に原稿のガイドを円滑に受け継がせることができるため、白圧板の曲げ精度を緩くすることができ、しかも可撓性部材からなる白圧板継ぎガイド板は上ガイド板に貼り付けることで容易に設置することができる。
【００１４】
【発明の実施の形態】
以下、本発明の実施形態について、図面を参照しながら詳細に説明する。
【００１５】
図１は本発明の実施形態における装置の要部構成を示す説明図であり、１３は継ぎ部である白圧板継ぎガイド板を示す。白圧板継ぎガイド板１３は、例えばマイラ（商品名）のような可撓性部材から構成されている。図５に示す従来技術における部材と同一または同一機能の部材については同一の符号を付して詳細な説明は省略する。
【００１６】
本実施形態の装置は、図５に示す従来の装置における白圧板７の原稿搬送方向上流側に位置する原稿上側ガイド部１１の凹部１１ａの角部に白圧板継ぎガイド板１３の一端部を貼り付け、他端部を曲げ部７ａの下方に延出させて、白圧板継ぎガイド板１３の先端部が曲げ部７ａにオーバーラップするように構成したものである。
【００１７】
このように構成したことにより、図７のように白圧板の曲げ角度が１８０°に近い鈍角になった場合でも、白圧板継ぎガイド板１３から白圧板７に確実にガイドが受け継がれるため、搬送不良を起こすことがなくなる。その結果、曲げ部７ａの角度を設定する際の公差を緩めることができるので、白圧板７の曲げ角度の管理が容易かつ安価になる。
【００１８】
図２は参考例における装置の要部構成を示す説明図であり、１４は白圧板７（曲げ部７ａ）の先端を引っ掛ける引掛け爪を示す。
【００１９】
参考例の装置は、図１に示す実施形態の装置における白圧板継ぎガイド板１３を貼着する代わりに、凹部１１ａの原稿搬送方向上流側の角部に引掛け爪１４を立設させ、引掛け爪１４の先端部が曲げ部７ａにオーバーラップするように構成したものである。
【００２０】
図３は原稿上側ガイド板に対する白圧板の組付構造を示す斜視図であり、１１ｂは原稿上側ガイド板１１の凹部１１ａにおける長手方向に対向する側部の少なくとも一方を開放した開口部を示す。
【００２１】
組み付けの際には、開口部１１ｂに白圧板７および角パイプ８の側部を対向させて、白圧板７の先端を引掛け爪１４にオーバーラップさせた状態で凹部１１ａに、原稿搬送方向に対して直角方向にスライドさせて挿入することにより、原稿上側ガイド板１１に白圧板７が組み付けられる。
【００２２】
このように構成したことにより、引掛け爪１４と原稿上側ガイド板１１とが一体に構成されているため、継ぎ部を構成する部品点数を削減することができる。さらに、引掛け爪１４から白圧板７に確実にガイドが受け継がれるため、搬送不良を起こすことがなくなる。また、曲げ部７ａの角度が大きくなると引掛け爪１４に白圧板７の先端が当接するために、曲げ部７ａの角度が規定される。その結果、曲げ部７ａの角度を設定する際の公差を緩めることができるので、白圧板７の曲げ角度の管理が容易かつ安価になる。
【００２３】
また、原稿上側ガイド板１１の側部から白圧板７および角パイプ８をスライドさせて組み付け可能であるため、原稿上側ガイド板１１の上側（または下側）から組み付けるよりも作業しやすく、しかも、組み付け時に白圧板７に加わる負荷を低減することができる。
【００２４】
図４は図２に示す装置に他の原稿上側ガイド板を装着した際の要部構成を示す説明図である。なお、図２に示す参考例における部材と同一または同一機能の部材については同一の符号を付して詳細な説明は省略する。
【００２５】
図４に示す装置の原稿上側ガイド板１１は、図２に示す装置の原稿上側ガイド板１１の凹部１１ａの底面における引掛け爪１４の対向部位に孔部１１ｃが形成されたものである。
【００２６】
ところで、図２に示す装置の原稿上側ガイド板１１を製造する場合、特に凹部１１ａを形成する場合、引掛け爪１４が存在するために凹部１１ａから金型を抜き出しにくくなる。そこで、凹部１１ａを形成する金型とは別に引掛け爪１４の部分を他の金型を押し込むことによって形成することにより、金型が抜けやすくなり、容易に引掛け爪１４が形成されるようになる。孔部１１ｃは他の金型を押し込むことによって形成されたものである。
【００２７】
このように製造することにより、原稿上側ガイド板１１がより安価に作成することが可能になる。
【００２８】
【発明の効果】
以上、説明したように構成された本発明によれば、白圧板の曲げ精度を緩くすることができ、より安価でかつ搬送性が良好な原稿読取装置を提供することができる。
【図面の簡単な説明】
【図１】  本発明の実施形態における装置の要部構成を示す説明図
【図２】  参考例における装置の要部構成を示す説明図
【図３】  原稿上側ガイド板に対する白圧板の組付構造を示す斜視図
【図４】  図２に示す装置に他の原稿上側ガイド板を装着した際の要部構成を示す説明図
【図５】  従来の自走原稿読取装置の要部構成を示す説明図
【図６】  白圧板の曲げ角度が９０°に近い場合における原稿の搬送不良の例を示す説明図
【図７】  白圧板の曲げ角度が１８０°に近い場合における原稿の搬送不良の例を示す説明図
【図１】
0003745929.tif 000002
【図２】
0003745929.tif 000003
【図３】
0003745929.tif 000004
【図４】
0003745929.tif 000005
【図５】
0003745929.tif 000006
【図６】
0003745929.tif 000007
【図７】
0003745929.tif 000008